(57)【特許請求の範囲】
【請求項１】
ハウジングと、
多回数用量の微粉末状薬剤を収容し、下面に薬剤排出孔が開口した供給体と、
前記供給体の薬剤排出孔から微粉末状薬剤が供給され、一回分の用量分の容積を有する計量孔を上面側に有する薬剤搬送体と、
往復動自在に配設されて前記薬剤搬送体を操作する操作体とを備え、
前記薬剤搬送体を前記供給体の下面に接触させた状態で動かすことにより、前記計量孔に充填された微粉末状薬剤を前記薬剤排出孔の位置から吸気流路の中へ移動させる粉末吸入器において、
前記ハウジングの先端側に前記マウスピース、基端側に前記操作体をそれぞれ設け、前記ハウジング内に前記供給体と薬剤搬送体を収容し、
前記薬剤搬送体を揺動自在に配設し、
前記計量孔を、前記薬剤搬送体の揺動中心を中心として１８０°未満の円弧状の軌跡を描いて往復運動させるように構成したことを特徴とする粉末吸入器。
【請求項２】
前記計量孔を、前記薬剤搬送体の揺動中心と前記薬剤搬送体への前記操作体の作用点との間に位置させたことを特徴とする請求項１に記載の粉末吸入器。
【請求項３】
前記操作体は押し釦であって、前記操作体を押圧することにより前記計量孔を前記薬剤吸入流路の中へ移動させるように構成したことを特徴とする請求項１又は２に記載の粉末吸入器。
【請求項４】
前記供給体、前記薬剤搬送体及び前記操作体に導電性を付与したことを特徴とする請求項１から３のいずれかに記載の粉末吸入器。
【請求項５】
前記計量孔は球面凹状の有底孔であることを特徴とする請求項１から４のいずれかに記載の粉末吸入器。
【請求項６】
前記薬剤搬送体を上方に弾性付勢することにより、前記薬剤搬送体に形成された肉厚で円弧状の摺動部を、前記供給体の薬剤排出孔の周囲に弾性的に接触させた状態で、前記薬剤搬送体を揺動させるように構成したことを特徴とする請求項１から５のいずれかに記載の粉末吸入器。
【発明の詳細な説明】
【０００１】
【発明の属する技術分野】
本発明は、多回数用量の微粉末状薬剤を投与することができる粉末吸入器に関する。
【０００２】
【従来の技術】
この種の粉末吸入器は、多回数用量の微粉末状薬剤を収容する供給体と、一回分の用量に対応する容積の計量孔を有する薬剤搬送体と、該薬剤搬送体を操作する操作体とを備えている。
【０００３】
そして、微粉末状薬剤を吸入する場合には、前記供給体の薬剤排出孔から前記計量孔内に前記微粉末状薬剤を充填し、前記供給体に対して前記薬剤搬送体を摺動させて前記計量孔を直線的に移動させる。
【０００４】
このとき、前記計量孔内の前記微粉末状薬剤は前記薬剤搬送体の摺動により前記薬剤排出孔の孔縁部ですり切られて一定量の微粉末状薬剤が吸入流路の中に搬送される（例えば、特許文献１参照。）。
【０００５】
しかし、かかる構成を採用した場合には、次のような２つの問題点があった。
【０００６】
第１に、微粉末状薬剤をすり切るときに、図２２に示すように計量孔１００が矢印のように直線的に移動することにより、微粉末状薬剤が薬剤排出孔１０１の孔縁部近くの斜線部分に密集し、この結果、微粉末状薬剤の供給体と薬剤搬送体との間に微粉末状薬剤が挟まって微粉末状薬剤の計量性を低下させ、また、薬剤搬送体の操作性も悪くなるという問題があった。
【０００７】
第２に、前記薬剤搬送体の摺動による摩擦帯電で静電気が発生し、前記微粉末状薬剤が粉末吸入器内に付着して微粉末状薬剤の定量性及び微粒子割合が低下するという問題があった。
【０００８】
第２の問題点については、前記計量孔の移動距離を短くして帯電量を減少させることが考えられるが、従来の前記粉末吸入器は、保護キャップが操作体を兼ね、しかも、マウスピースを露出させるのに必要な保護キャップの移動距離に相当する距離だけ前記計量孔を移動させるように構成されていたので、少なくとも粉末吸入器の吸い口から前記保護キャップを取り外すのに必要な距離だけ前記計量孔を移動させなければならず、帯電量の減少は困難であった。
【０００９】
また、専用の操作体を用いて薬剤搬送体を操作する場合であっても、使用者に操作体を操作したという実感を持たせるには、操作体をある程度の距離だけ移動させる必要がある。すなわち、粉末吸入器の場合は、前記計量孔が薬剤吸入流路の中まで移動して吸入が可能になったか否かを直接確認できないので、操作体の操作感覚によって吸入可能状態を実感させる必要がある。
【００１０】
このように従来の粉末吸入器では、前記操作体を僅かに移動させて帯電量を減少させるのは構造上困難であった。
【００１１】
【特許文献１】
特表２０００―５０１０１３号公報（第２―３頁、図１Ｅ、図１８Ｂ）
【００１２】
【発明が解決しようとする課題】
本発明は、微粉末状薬剤が供給体と薬剤搬送体との間に挟まるのを防止でき、また、操作体の移動距離を短くすることなく帯電量の減少が可能となる粉末吸入器を提供する。
【００１３】
【課題を解決するための手段】
本発明の粉末吸入器は、ハウジングと、多回数用量の微粉末状薬剤を収容し、下面に薬剤排出孔が開口した供給体と、前記供給体の薬剤排出孔から微粉末状薬剤が供給され、一回分の用量分の容積を有する計量孔を上面側に有する薬剤搬送体と、往復動自在に配設されて前記薬剤搬送体を操作する操作体とを備え、前記薬剤搬送体を前記供給体の下面に接触させた状態で動かすことにより、前記計量孔に充填された微粉末状薬剤を前記薬剤排出孔の位置から吸気流路の中へ移動させる粉末吸入器において、前記ハウジングの先端側に前記マウスピース、基端側に前記操作体をそれぞれ設け、前記ハウジング内に前記供給体と薬剤搬送体を収容し、前記薬剤搬送体を揺動自在に配設し、前記計量孔を、前記薬剤搬送体の揺動中心を中心として１８０°未満の円弧状の軌跡を描いて往復運動させるように構成したことを特徴とする粉末吸入器。
【００１４】
また、前記計量孔を、前記薬剤搬送体の揺動中心と前記薬剤搬送体への前記操作体の作用点との間に位置させるのが望ましい。
【００１５】
また、前記操作体は押し釦であって、前記操作体を押圧することにより前記計量孔を前記薬剤吸入流路の中へ移動させるのが望ましい。
【００１６】
また、前記供給体、前記薬剤搬送体及び前記操作体に導電性を付与するのが望ましい。
【００１７】
また、前記計量孔は球面凹状の有底孔であることが望ましい。また、前記薬剤搬送体を上方に弾性付勢することにより、前記薬剤搬送体に形成された肉厚で円弧状の摺動部を、前記供給体の薬剤排出孔の周囲に弾性的に接触させた状態で、前記薬剤搬送体を揺動させるように構成するのが望ましい。
【００１８】
【発明の実施の形態】
以下、本発明の実施の形態について図面を参照して説明する。
【００１９】
図１は粉末吸入器の斜視図、図２は粉末吸入器の縦断面図、図３は粉末吸入器の分解した側面図である。粉末吸入器は、図１乃至図３のようにハウジング１と、微粉末状薬剤を自力で吸入するためのマウスピース２と、多回数用量の微粉末状薬剤を収容する供給体３と、一回分の用量の微粉末状薬剤を搬送する薬剤搬送体４と、薬剤搬送体４を操作する操作体（押し釦）５と、操作体５をロックするロック体６と、ベース体７と、投薬回数を表示するカウンタ８とを備えている。
【００２０】
次に、ハウジング１について説明する。ハウジング１は上側ハウジング１ａと下側ハウジング１ｂ、保護キャップ１ｃとを備えている。上側ハウジング１ａ及び下側ハウジング１ｂは、図３に示す係止爪１ｄ及び係止溝１ｅによっていわゆるパッチン式で接合される。なお、後述のように薬剤搬送体４は揺動するので、薬剤搬送体４に揺動スペースを確保するためにハウジング１の横幅は広くなっている。
【００２１】
図２及び図４のように上側ハウジング１ａ及び下側ハウジング１ｂの先端側にはマウスピース２の取付部１ｆが形成され、該取付部１ｆにはマウスピース２を挟持するための挟持用突起１ｇが設けられている。上側ハウジング１ａ及び下側ハウジング１ｂの基端側には操作体５の収納部１ｈが形成されている。上側ハウジング１ａのマウスピース２の取付部１ｈの近傍には横長スリット状の空気取入口１ｉが設けられ、カウンタ８の取付け位置に対応する部位にはカウンタ８の状態を読み取るための窓１ｊが設けられている。
【００２２】
図５のように下側ハウジング１ｂの内面側には、操作体５をガイドするための突条部１ｌ及びガイド軸１ｍと、突脈部１ｎで囲繞されるロック体６を収容する収納部１ｏと、該収納部１ｏ内に形成されるロック体６の枢支軸１ｐと、ばね係止突起１ｑと、ベース受け台１ｒと、嵌合突起１ｓとがそれぞれ形成されている。
【００２３】
次にマウスピース２について説明する。マウスピース２は本体部２ａとカバー部２ｂとで構成され、本体部２ａには微粉末状薬剤を分散させる薬剤吸入流路２ｃが形成され、本体部２ａの外周部には嵌合溝２ｅが形成され、カバー部２ｂには吸気孔２ｆが設けられている。
【００２４】
次に供給体３について説明する。供給体３は、約２００回分の服用量の微粉末状薬剤を収容するホッパー３ａを備え、該ホッパー３ａの下端には薬剤排出孔３ｂが設けられ、供給体３のホッパー３ａの上端側の開口部３ｃは微粉末状薬剤を湿度から保護する蓋３ｄにて閉塞され、ホッパー３ａの外壁面には空気吸引溝３２が形成されている。また、供給体３には貫通孔３ｆが形成され、カウンタ８を位置決めするための位置決めピン３ｈを有するカバー３ｅが設けられている。更に、後述する薬剤搬送体４の計量孔４ｃの周囲部との接触面積を少なくするために、薬剤排出孔３ｂの周縁部及び薬剤搬送体４の摺動部４ｅに対応する部位には肉厚部３ｇが形成され、薬剤搬送体４は該肉厚部３ｇの下面にのみ接触するようになっている。
【００２５】
次に操作体５について説明する。操作体５はハウジング１に平行往復動自在に配設され、操作ばね（コイルばね）５１の弾撥力に抗して押し込まれるようになっている。操作体５はガイド板５ａを備え、該ガイド板５ａには薬剤搬送体４の係止用長孔５ｂ、ガイド用長孔５ｃ、及び下側ハウジング１ｂのばね係止突起１ｑを挿通するための挿通用長孔５ｄが設けられ、ガイド板５ａの下面側には係合ピン５ｅが設けられている。また、操作体５からは操作ばね５１を取り付けるためのばね取付軸５ｆが突設されている。
【００２６】
次にロック体６について説明する。ロック体６にはガイド溝６ａ、第１切替部６ｂ、第２切替部６ｃ、上係合部６ｄ、下係合部６ｅ、枢支孔６ｆ及び弾性杆６ｇがそれぞれ形成されている。ロック体６は、下側ハウジング１ｂの収容部１ｏに収容され、枢支孔６ｆは収容部１ｏ内の枢支軸１ｐにはめ込まれるようになっている。また、ロック体６の上には操作体５が位置し、該操作体５の係合ピン５ｅはロック体６のガイド溝６ａ内に挿入されている。
【００２７】
かかるロック体６は、以下のように動作する。すなわち、操作体５を指先で位置まで押し込むと、操作体５の係合ピン５ｅはロック体６の下係合部６ｅからガイド溝６ａを通って第１切替部６ｂに至る（図２０（ａ））。このとき、ロック体６は弾性杆６ｇの弾撥力に抗して揺動する。その後、操作体５を解除すると、操作ばね５１の弾撥力により操作体５の係合ピン５ｅが上係合部６ｄに係合し、操作体５は押し込まれた状態でロックされる。次に、操作体５を再び押し込むと、ロック体６の弾性杆６ｇの弾性復元力により係合ピン５ｅは下係合部６ｅから解除されて第２切替部６ｃに至る（図２０（ｂ））。次に、操作体５に対する押し込み力を解除すると、操作ばね５１の弾撥力により係合ピン５ｅはガイド溝６ａを通って下係合部６ｅに移動して操作体５は元の位置に復帰する（図２０（ａ））。なお、粉末吸入器全体の動作については後述する。
【００２８】
次に薬剤搬送体４について説明する。図９のように薬剤搬送体４の一端部には軸孔４ａが形成され、他端部には係止ピン４ｂが設けられ、軸孔４ａと係止ピン４ｂとの中間部分には一回分の用量に対応する容積を有する球面凹状の有底の計量孔４ｃが形成されている。更に、薬剤搬送体４にはカウンタ８に係合した該カウンタ８を回転させるラチェット４ｄが形成されている。なお、計量孔４ｃは貫通孔であっても良い。
【００２９】
薬剤搬送体４の上面の一部は盛り上げられて平面視が円弧状の摺動部４ｅが形成され、摺動部４ｅの一端部に計量孔４ｃが位置している。これにより、計量孔４ｃが円弧状に移動した場合でも薬剤搬送体４の摺動部４ｅのみが供給体３の薬剤排出孔３ｂの周囲の肉厚部３ｇの下面と接触するようになっている。
【００３０】
薬剤搬送体４は、後述のようにベース体７の枢支ピン７ｉに揺動自在に枢支され、薬剤搬送体４の係止ピン４ｂは操作体５の係止用長孔５ｂに挿入されることにより薬剤搬送体４と操作体５とが係合する。
【００３１】
また、薬剤搬送体４は後述する押し上げ体９によって上方に弾性付勢されることにより、薬剤搬送体４の摺動部４ｅは供給体３の薬剤排出孔３ｂの周囲の肉厚部３ｇの下面と弾性的に接触するようになっている。これにより、薬剤搬送体４の摺動部４ｅとホッパー３ａの薬剤排出孔３ｂの周囲部との緊密度が増し、薬剤搬送体４の計量孔４ｃから微粉末状薬剤が漏れるのを防止している。
【００３２】
次にベース体７について説明する。ベース体７には嵌合孔７ａ及びカウンタ支持軸７ｂが設けられ、このカウンタ支持軸７ｂの周囲にはカウンタ支持環７ｃが立設され、また、薬剤搬送体４が揺動して係止ピン４ｂが移動する範囲には切り欠き部７ｄが設けられている。
【００３３】
また、ベース体７には押し上げ体９の取付部７ｅが形成され、該取付部７ｅには嵌合孔７ｆを有するばね支持軸７ｇと固定ピン７ｈとが設けられている。一方、押し上げ体９の下面側には嵌合突起９ａと嵌合孔９ｂを有するボス部９ｃとが形成されている。そして、図１０（ｂ）のようにベース体７の嵌合孔７ｈに押し上げ体９の嵌合突起９ｂを嵌合し、押し上げばね（コイルばね）１０が挿通されたベース体７のばね支持軸７ｇに押し上げ体９の嵌合突起９ａを嵌合することにより、押し上げ体９を上方にばね付勢している。また、押し上げ体９の取付部７ｅの近傍には枢支ピン７ｉが形成されている。
【００３４】
次にカウンタ８について説明する。カウンタ８は、公知の構造のものであって、１の位のカム付き円盤８ａと１０の位のカム付きホイール８ｂとを備えている。カム付き円盤８ａはベース体７のカウンタ支持軸７ｂにより回転自在に支持され、カム付き円盤８ａにはカム付きホイール８ｂがはめ込まれると共にベース体７のカウンタ支持環７ｃにて支持されている。
【００３５】
そして、薬剤搬送体４の揺動によりラチェット４ｄによって１の位のカム付き円盤８ａは１の計数位置だけ回転し、投薬回数が１０回目でカム付きホイール８ｂが１の計数位置だけ回転し、カム付きホイール８ｂの最大目盛だけ投薬回数を表示する。
【００３６】
供給体３、薬剤搬送体４及び操作体５の材料にカーボン等の導電性フィラーを加えている導電性を付与し、静電気を漏洩させるようにしても良い。
【００３７】
なお、導電性を付与する部品は、供給体３、薬剤搬送体４及び操作体５には限定されない。
【００３８】
次に粉末吸入器の組み立て手順について説明する。
【００３９】
まず、上述のように下側ハウジング１ｂの収容部１ｏにロック体６を収容した後、操作体５を下側ハウジング１ｂに取り付けてロック体６の上に位置させる。このとき、操作体５のガイド用長孔５ｃ内に下側ハウジング１ｂのガイド軸１ｍを挿通し、操作体５の挿通用長孔５ｄに下側ハウジング１ｂのばね係止突起１ｑを挿通する。また、操作体５のばね取付軸５ｆに操作ばね５１をその一端側から挿通し、該操作ばね５１の他端側を下側ハウジング１ｂのばね係止突起１ｑに係止する。
【００４０】
次に、ベース体７を下側ハウジング１ｂのベース受け台１ｒに載置し、ベース体７の嵌合孔７ａを下側ハウジング１ｂの嵌合突起１ｓに嵌合してベース体７を位置決めする（図１６）。
【００４１】
次に、上述のようにしてベース体７に押し上げ体９を装着した後、ベース体７及び押し上げ体９の上に薬剤搬送体４を重ねる。このとき、薬剤搬送体４の枢支孔４ｃとベース体７の枢支ピン７ｉと合致させ、薬剤搬送体４の係止ピン４ｂを操作体５の係止用長孔５ｂに挿入して薬剤搬送体４を操作体５に係合する（図１７）。また、上述のようにしてカウンタ８をベース体７に装着する。更に、下側ハウジング１ｂの挟持用突起にマウスピース２の嵌合溝２ｅを嵌合する。
【００４２】
次に、薬剤搬送体４の上に供給体３を位置させ、ベース体７の枢支ピン７ｉに供給体３の貫通孔３ｆ及び薬剤搬送体４の枢支孔４ａを挿通して薬剤搬送体４を揺動自在に枢支し、供給体３のカバー３ｅでカウンタ８を位置決めする（図１８）。
【００４３】
次に、下側ハウジング１ｂに上側ハウジング１ａを接合することにより、上側ハウジング１ａの内面側に形成された位置決め部によって供給体３を位置決めすると共に、上側ハウジング１ａの挟持用突起１ｇをマウスピース２の嵌合溝２ｅに嵌合し、最後に、マウスピース２の本体部２ａにカバー部２ｂを嵌合する。
【００４４】
以上のように、粉末吸入器は部品を下から積み上げて組み立てられるので、組立手順が明確になって生産性が向上し、また、ねじが不要となる分だけ生産性が更に向上する。
【００４５】
このように構成される粉末吸入器は、以下の動作をすることにより計量孔４ｃによる微粉末状薬剤の計量性を向上させることができる。
【００４６】
操作体５を押し込む前の状態は、図２のように薬剤搬送体４は該薬剤搬送体４の計量孔４ｃが供給体３の薬剤排出孔３ｂと合致する薬剤充填位置に位置する。
【００４７】
そして、操作体５を押し込んでロックすると、薬剤搬送体４が揺動し、図２の二点鎖線のように計量孔４ｃは薬剤充填位置からホッパー３ａの空気吸引溝３２の近傍の空間内へ移動する。このとき、計量孔４ｃ内に充填された微粉末状薬剤は薬剤排出孔３ｂの周囲の肉厚部３ｇによってすり切られ、一回分の用量の微粉末状薬剤が空気吸引溝３２の近傍の空間まで搬送される。
【００４８】
次に、患者の吸気圧でマウスピース２の吸気孔２ｆからハウジング１内の空気を吸引すると、ハウジング１内は負圧になり、図２の矢印のように外部の空気がハウジング１の空気取入口１ｉからハウジング１内に吸引され、マウスピース２の空気吸引溝３２を通ってマウスピース２の薬剤吸入流路２ｃに至る。これにより、薬剤搬送体４の計量孔４ｃ内に充填された微粉末状薬剤に空気衝撃が加わって該微粉末状薬剤がマウスピース２の薬剤吸入流路２ｃ内に飛散し、吸引された空気と共に吸気孔２ｆを通って患者の肺器官内に至る。
【００４９】
次に、操作体５を元の位置に復帰させることにより、薬剤搬送体４がスイングバックして計量孔４ｃは供給体３の薬剤排出孔３ｂの下方の薬剤充填位置まで戻る。
【００５０】
このように、操作体５の押し込み動作及び操作体５の復帰動作により、薬剤搬送体４の摺動部４ｅは、供給体３の薬剤排出孔３ｂの周囲部に対して摺動し、薬剤搬送体４の計量孔４ｃは、薬剤排出孔３ｂと合致する位置と空気吸引溝３２の近傍の空間との間を円弧往復運動をする。
【００５１】
また、薬剤搬送体４の計量孔４ｃは、薬剤搬送体４の軸孔４ａ（薬剤搬送体４の揺動中心）と薬剤搬送体４の係止ピン４ｂ（操作体５の作用点）との中間に位置するので、計量孔４ｃの移動距離は操作体５の移動距離よりも短くなり、操作体５の移動距離と同じ距離だけ移動する従来のものに較べて、計量孔４ｃの周囲の摺動距離が短くなって静電気発生量を低減でき、計量孔４ｃによる微粉末状薬剤の計量性能を向上させることができる。
【００５２】
また、図２１のように計量孔４ｃは円弧運動するので、微粉末状薬剤をすり切る際に、同図の矢印のように微粉末状薬剤はホッパー３ａの薬剤排出孔３ｂの孔壁３１ｃに沿って流れる。この結果、微粉末状薬剤が薬剤排出孔３ｂの孔壁３１ｃ付近で滞留することによって供給体３と薬剤搬送体４との間に入り込むのを防止できる。
【００５３】
なお、ホッパー３ａ内の微粉末状薬剤を使い切れば、粉末吸入器は廃棄される。
【００５４】
【発明の効果】
本発明の粉末吸入器によれば、前記薬剤搬送体を揺動自在に配設し、該薬剤搬送体の揺動によって前記計量孔を円弧運動させるように構成したので、計量孔が薬剤吸入流路に向けて移動するときには、微粉末状薬剤は薬剤排出孔の孔壁に沿って流れて微粉末状薬剤のすり切りをスムーズに行うことができ、その結果、供給体と薬剤搬送体との間に微粉末状薬剤が挟まることによる粉末状薬剤の計量性の低下や薬剤搬送体の操作性の悪化を防止することができる。しかも、供給体の薬剤排出孔と吸気流路との間を計量孔が往復する単純な機構で済ませることができ、製造コストの低減を図ることができる。
【００５５】
また、前記計量孔を、前記薬剤搬送体の揺動中心と前記薬剤搬送体への前記操作体の作用点との間に位置させれば、操作体の移動距離よりも薬剤搬送体の計量孔の移動距離を短くでき、蓄積される静電気量を軽減できて微粉末状薬剤の定量性及び微粒子割合の低下を防止できる。
【００５６】
また、前記操作体を押し釦により構成し、前記操作体を押圧して前記計量孔を前記充填位置から前記飛散位置まで移動するように構成すれば、操作体が保護キャップ兼ねる従来の粉末吸入器に較べて、保護キャップを吸引口から取り外すのに必要な距離だけ操作体を移動させる必要がなくなり、その結果、操作体の操作距離を必要以上に大きくする必要がなくなって静電気量を軽減できる。
【００５７】
また、前記供給体、前記薬剤搬送体及び前記操作体に導電性を付与すれば、摩擦で発生する静電気を漏洩させることができ、極めて微量の微粉末薬剤の定量性を確保するとともに、より高い微粒子割合を得ることができる。
【００５８】
また、上述のように前記供給体の薬剤排出孔と前記吸気流路との間を前記計量孔が往復する機構において、該計量孔を球面凹状の有底孔にすれば、患者が吸気せずに誤って操作体を複数回操作することがあっても、計量孔内に微粉末状薬剤が新たに充填されるのを防止でき、一回分以上の薬剤が患者の肺内に吸入されることがなくなり、しかも、一回分の薬剤を残らず患者の肺内に吸入できる。
【図面の簡単な説明】
【図１】本発明の実施形態の粉末吸入器を示す斜視図である。
【図２】同粉末吸入器の縦断面図である。
【図３】同粉末吸入器の分解状態を示す側面図である。
【図４】同粉末吸入器の上側ハウジングの平面図である。
【図５】同粉末吸入器の下側ハウジングの平面図である。
【図６】同粉末吸入器のロック体の平面図である。
【図７】同粉末吸入器の操作体の平面図である。
【図８】同粉末吸入器のベース体の平面図である。
【図９】（ａ）は同粉末吸入器の薬剤搬送体の平面図、（ｂ）は同薬剤搬送体の側面図である。
【図１０】（ａ）は同粉末吸入器の押し上げ体の平面図、（ｂ）はベース体への押し上げ体の取付状態を示す断面図である。
【図１１】同粉末吸入器のカウンタを示す平面図である。
【図１２】（ａ）は同粉末吸入器の供給体の平面図、（ｂ）は同供給体の底面図である。
【図１３】（ａ）は同粉末吸入器のマウスピースの平面図、（ｂ）は同マウスピースの側面図である。
【図１４】同粉末吸入器の組立順序を示す平面図である。
【図１５】同粉末吸入器の組立順序を示す平面図である。
【図１６】同粉末吸入器の組立順序を示す平面図である。
【図１７】同粉末吸入器の組立順序を示す平面図である。
【図１８】同粉末吸入器の組立順序を示す平面図である。
【図１９】同粉末吸入器の薬剤搬送体の動作を示す平面図である。
【図２０】同粉末吸入器の操作体のロック動作を示す平面図である。
【図２１】同粉末吸入器のよる微粉末状薬剤のすり切り動作を示す概略図である。
【図２２】従来の粉末吸入器のよる微粉末状薬剤のすり切り動作を示す概略図である。
【符号の説明】
１    ハウジング
３    供給体
３    供給体
３ｂ  薬剤供給孔
４    薬剤搬送体
４ｃ  薬剤搬送体の計量孔
【図１】
0003616877.tif 000002
【図２】
0003616877.tif 000003
【図３】
0003616877.tif 000004
【図４】
0003616877.tif 000005
【図５】
0003616877.tif 000006
【図６】
0003616877.tif 000007
【図７】
0003616877.tif 000008
【図８】
0003616877.tif 000009
【図９】
0003616877.tif 000010
【図１０】
0003616877.tif 000011
【図１１】
0003616877.tif 000012
【図１２】
0003616877.tif 000013
【図１３】
0003616877.tif 000014
【図１４】
0003616877.tif 000015
【図１５】
0003616877.tif 000016
【図１６】
0003616877.tif 000017
【図１７】
0003616877.tif 000018
【図１８】
0003616877.tif 000019
【図１９】
0003616877.tif 000020
【図２０】
0003616877.tif 000021
【図２１】
0003616877.tif 000022
【図２２】
0003616877.tif 000023